(57)【特許請求の範囲】
【請求項１】
帽子のクラウン部を構成するクラウン部用の二重構造遮光部材と、庇部の表面を構成する庇部用の遮光部材と、またこの庇部の芯を構成する庇部芯用の布地と、前記クラウン部と前記庇部との境部に形成した縫い目を隠蔽する布地のテープと、前記クラウン部の首側に着脱自在に設けた日除け部を構成する日除け用の二重構造遮光部材と、前記芯用の布地より延設した汗取り布地とで構成したことを特徴とする遮光効果を発揮できる帽子。
【請求項２】
帽子のクラウン部を構成するクラウン部用の二重構造遮光部材と、庇部の全体を構成する庇部用の布地と、前記クラウン部の首側に着脱自在に設けた日除け部を構成する日除け用の二重構造遮光部材と、前記庇部用の布地より延設した汗取り布地とで構成したことを特徴とする遮光効果を発揮できる帽子。
【請求項３】
請求項1又は請求項2の二重構造遮光部材は、一枚の遮光部材を同じ方向に積層し、同じ逢着方向としたことを特徴とする遮光効果を発揮できる帽子。
【請求項４】
請求項1の日除け部を構成する日除け用の二重構造遮光部材は、略中心部に逢着部を形成し、この日除け用の二重構造遮光部材を折畳み可能としたことを特徴とする遮光効果を発揮できる帽子。
【請求項５】
請求項1又は請求項2のクラウン部用の二重構造遮光部材は、その逢着方向が帽子の前後方向になっていて、被覆する人の頭の形状に馴染み易くしたことを特徴とする遮光効果を発揮できる帽子。
【発明の詳細な説明】
【技術分野】
【０００１】
本発明は、遮光効果を発揮できるハット形帽子、野球帽子等の帽子に関する。
【背景技術】
【０００２】
従来の遮光効果を発揮できる帽子としては、先行文献に各種の構成が提案されている。これに鑑み以下、本発明と関連がある代表的な構成を説明する。
【０００３】
文献(1)は、実用新案登録第3077124号の「紫外線遮断具」であり、この考案は、首筋の紫外線保護を意図する構成であって、帽子に絹製の布片を着脱自在に設けたことを特徴とする。
【０００４】
また文献(2)は、実用新案登録第3039827号の「えり首日除け布の装着部付き帽子」であり、この考案は、首筋の紫外線保護を意図する構成であって、環状の鍔付きの紳士・婦人・ゴルフ用等のハット形、一部の鍔付きの野球帽子・作業用等のキャップ形、必要によりコートのフード等の各種帽子の周辺部に所定の間隔を離間して日除け布を設けたことを特徴とする。
【０００５】
文献(3)は、特開2003-166110の「防暑対策用の帽子」であり、この発明は、防暑効果と、太陽光線による頭部、首部等のガードを意図する構成であって、布地の鍔を有する帽子本体のクラウン部及び首部カバーをそれぞれ二重構造の遮光部材で構成したことを特徴とする。
【０００６】
【特許文献１】実用新案登録第3077124号
【特許文献２】実用新案登録第3039827号
【特許文献３】特開2003-166110
【発明の開示】
【発明が解決しようとする課題】
【０００７】
前記文献(1)、文献(2)は、布地を主体とした構成であって、帽子に布地の日除け部を設けた構造である。このように布地を主体とする構造であることから、日焼け防止には有効と思われる半面、防暑に対する効果は、十分とは到底思われない。従って、炎天下での防暑効果と、またこの炎天下で発生すると考えられている日射病等の疾病発生回避には、必ずしも十分とは思われず、その改良が望まれる処である。また農作業、運動又は魚釣り等の如く、炎天下においての所作と、この所作の際において日陰がない危険な状況での使用を考えた場合には、前述の如く、単なる日除けでは、危険を伴う虞があり、その改良が希求されている。
【０００８】
また文献(3)は、遮光部材の使用と、この遮光部材を利用してクラウン部等を二重構造とした構成を採用して、防暑を回避できる特徴を備えており、炎天下又はハウス・ハウス内の天窓等の開口部の開放下、また熱射状態でも、防暑が図れること等の特徴が有る。しかし、この文献(3)の構成を利用して、各種の帽子を製造するには、改良すべき問題点が考えられる。例えば、ハット形の帽子においては、庇部(鍔)の構造をどのようにするか、クラウン部を構成する遮光部材の縦横の配置(織り方向の配置)及び／又は逢着方向をどのようにするか等に関しての説明が十分でなかった。またクラウン部(帽子本体）と日除け部は、原則として一体構造を採用することから、天候、使用態様、又は使用者等の各種の条件を充足できる環境とはなっておらず、所謂、汎用的な使用において改良すべき課題があった。
【課題を解決するための手段】
【０００９】
請求項1の発明は、帽子のクラウン部と日除け部とを二重構造遮光部材で構成し、また鍔部を芯材と二重構造遮光部材とで構成した構造であるので、防暑を図るのに最適な帽子を提供すること、また鍔部を芯材と二重構造遮光部材とで構成した構造であるので、鍔の機能と、遮蔽部材のそれぞれの特徴を発揮し、この相乗効果が期待できる帽子を提供すること等を意図する。そして、ハット形帽子に最適な帽子の構造の提供を意図する。
【００１０】
請求項1は、帽子のクラウン部を構成するクラウン部用の二重構造遮光部材と、庇部の表面を構成する庇部用の遮光部材と、またこの庇部の芯を構成する庇部芯用の布地と、前記クラウン部と前記庇部との境部に形成した縫い目を隠蔽する布地のテープと、前記クラウン部の首側に着脱自在に設けた日除け部を構成する日除け用の二重構造遮光部材と、前記芯用の布地より延設した汗取り布地とで構成したことを特徴とする遮光効果を発揮できる帽子である。
【００１１】
請求項2の発明は、帽子のクラウン部を二重構造遮光部材で構成し、また鍔部を布地で構成した構造であるので、防暑を図りつつ、使用者等に布地としての落ち着いた雰囲気を達成できる帽子の提供を意図する。そして、キャップ形(野球帽形で主として男性が被嵌する)帽子に最適な構造の帽子の提供を意図する。
【００１２】
請求項2は、帽子のクラウン部を構成するクラウン部用の二重構造遮光部材と、庇部の全体を構成する庇部用の布地と、前記クラウン部の首側に着脱自在に設けた日除け部を構成する日除け用の二重構造遮光部材と、前記庇部用の布地より延設した汗取り布地とで構成したことを特徴とする遮光効果を発揮できる帽子である。
【００１３】
請求項3の発明は、請求項1又は2の目的を達成すること、また二重構造遮光部材の特性を発揮しつつ、この二重構造遮光部材の少なくとも頭部への馴染みを良くし、帽子着用の快適性を確保することを意図する。
【００１４】
請求項3は、請求項1又は請求項2の二重構造遮光部材において、一枚の遮光部材を同じ方向に積層し、同じ逢着方向としたことを特徴とする遮光効果を発揮できる帽子である。
【００１５】
請求項4の発明は、請求項1の目的を達成すること、また二重構造遮光部材の縫着の容易化、剥離の回避等を図ることと、帽子の耐久性の向上を図ること等を意図する。
【００１６】
請求項4は、請求項1の日除け部を構成する日除け用の二重構造遮光部材において、略中心部に逢着部を形成し、この日除け用の二重構造遮光部材を折畳み可能としたことを特徴とする遮光効果を発揮できる帽子である。
【００１７】
請求項5の発明は、請求項1又は2の目的を達成すること、また帽子の馴染みを確保して快適な被嵌を図ること、又は帽子の耐久性の向上を図ること等を意図する。
【００１８】
請求項5は、請求項1又は請求項2のクラウン部用の二重構造遮光部材において、その逢着方向が帽子の前後方向になっていて、被覆する人の頭の形状に馴染み易くしたことを特徴とする遮光効果を発揮できる帽子である。
【発明の効果】
【００１９】
請求項1の発明は、帽子のクラウン部を構成するクラウン部用の二重構造遮光部材と、庇部の表面を構成する庇部用の遮光部材と、また庇部の芯を構成する庇部芯用の布地と、クラウン部と庇部との境部に形成した縫い目を隠蔽する布地のテープと、クラウン部の首側に着脱自在に設けた日除け部を構成する日除け用の二重構造遮光部材と、芯用の布地より延設した汗取り布地とで構成した遮光効果を発揮できる帽子である。
【００２０】
従って、請求項1は、帽子のクラウン部と日除け部とを二重構造遮光部材で構成し、また鍔部を芯材と二重構造遮光部材とで構成した構造であるので、防暑を図るには最適な帽子を提供できること、また鍔部を芯材と二重構造遮光部材とで構成した構造であるので、鍔の機能と、遮蔽部材のそれぞれの特徴と、その相乗効果が図れる帽子を提供できること等の特徴がある。そして、ハット形帽子に最適な構造の帽子を提供できる実益がある。
【００２１】
請求項2の発明は、帽子のクラウン部を構成するクラウン部用の二重構造遮光部材と、庇部の全体を構成する庇部用の布地と、クラウン部の首側に着脱自在に設けた日除け部を構成する日除け用の二重構造遮光部材と、前記庇部用の布地より延設した汗取り布地とで構成した遮光効果を発揮できる帽子である。
【００２２】
従って、請求項2は、帽子のクラウン部を二重構造遮光部材で構成し、また鍔部を布地で構成した構造であるので、防暑を図りつつ、使用者等に布地としての落ち着いた雰囲気を達成できる帽子を提供できる特徴がある。そして、キャップ形帽子に最適な構造の帽子を提供できる実益がある。
【００２３】
請求項3の発明は、請求項1又は請求項2の二重構造遮光部材において、一枚の遮光部材を同じ方向に積層し、同じ逢着方向とした遮光効果を発揮できる帽子である。
【００２４】
従って、請求項3は、請求項1又は2の目的を達成できること、また二重構造遮光部材の特性を発揮しつつ、この二重構造遮光部材の少なくとも頭部への馴染みを良くし、帽子着用の快適性を確保できること等の特徴がある。
【００２５】
請求項4の発明は、請求項1の日除け部を構成する日除け用の二重構造遮光部材において、略中心部に逢着部を形成し、日除け用の二重構造遮光部材を折畳み可能とした遮光効果を発揮できる帽子である。
【００２６】
従って、請求項4は、請求項1の目的を達成できること、また二重構造遮光部材の縫着の容易化、剥離の回避等が図れることと、帽子の耐久性の向上が図れること等の特徴がある。
【００２７】
請求項5の発明は、請求項1又は請求項2のクラウン部用の二重構造遮光部材において、その逢着方向が帽子の前後方向になっていて、被覆する人の頭の形状に馴染み易くした遮光効果を発揮できる帽子である。
【００２８】
従って、請求項5は、請求項1又は2の目的を達成できること、また帽子の馴染みを確保して快適な被嵌が図れること、又は帽子の耐久性の向上が図れること等の特徴がある。
【発明を実施するための最良の形態】
【００２９】
本発明の一例を説明する。
【００３０】
先ず、図1から図7に示したハット形の帽子について説明する。このハット形の帽子1は、下記のような構成となっている。即ち、クラウン部100を構成するクラウン部用の二重構造遮光部材2と、庇部101の表面101aを構成する庇部用の遮光部材3と、また庇部101の芯101bを構成する庇部芯用の布地4と、クラウン部100と庇部101との境部102に形成した縫い目を隠蔽する布地のテープ5と、クラウン部100の首側に着脱自在に設けた日除け部103を構成する日除け用の二重構造遮光部材6と、芯用の布地4より延設した汗取り布地7とで構成される。そして、この二重構造遮光部材2、6は、次のように構成する。図5、図6(イ)、(ロ)又は図7で示すように、ポリリエチレンフィルムの基材にアルミニュウムを蒸着した遮光フィルム素材A1を紐状に形成し、紐状の遮光フィルム素材A1を横糸として、フィラメント素材撚糸A2を縦糸として織布又は編成した構成であり、隙間A3を有する寒冷紗態様の遮光部材生地Aを二重にした構成である。従って、遮光性、防暑性を備える。また適度の硬性を備えてあり、皺になり難いこと、形状の安定性があること、等の特徴がある。尚、この二重構造遮光部材2、6は、図6に示したかがり縫いB(解れ防止)をした後に、図7の如く、縫着B1(縫合)して帽子1を構成する。例えば、後述するクラウン頂面の端部に略帯状のクラウン側面の端部を縫合する。尚、この二重構造遮光部材2、6は、織目(編目)の方向を同じとした一例であり、隙間A3からの熱気の排気と、冷気の進入(換気機能)を図ることを考慮した場合には、この例が理想である。しかし、必要により、他の例(交差方向等)もあり得る。
【００３１】
前記クラウン部100の構成をさらに詳述すると、このクラウン部100は、平面視して略円形状を呈するクラウン頂面100aと、このクラウン頂面100aの端部100a-1に設けた側面視して略帯状を呈するクラウン側面100bとで構成し、このクラウン頂面100aの端部100a-1に、クラウン側面100bの端部100b-1を縫着B1して構成する。従って、このクラウン部100は、正面視して略台形状を呈する。このクラウン頂面100aは、遮光部材生地Aの縦糸を帽子1の幅方向(人の両肩方向)に設けた二重構造とし、帽子1が前後方向の伸びを規制し、形状・寸法の保護と、通気性の確保と、耐久性の向上等を意図する。尚、この二重構造は、保冷性、緩衝性、耐久性等の向上と、又は熱気の進入防止、また縫着の容易化、迅速化等に役立ち有益である(他も同じ)。一方、このクラウン側面100bは、遮光部材生地Aの縦糸を帽子1の立上り方向(被り方向)に斜設した二重構造とし、帽子1が上下方向への伸びを規制し、隙間A3よりの通気性の確保、又は収容(折畳み)の容易化、或いは耐久性の向上等を意図する。そして、全体としては、クラウン部100の形状・寸法の保護、通気性の確保と、耐久性の向上等を意図する。
【００３２】
前記日除け部103は、クラウン部100との間に設けられており、正面視して略よだれ掛けの形状をして折り、首筋をカバーし(防暑・日焼け等の防止)、かつ肩部及び／又は背部を優しくカバーし、防暑・日焼け等の防止効果を図る構成である。尚、この日除け部103には、図示しない耳カバー部を備えて、耳部をカバーする構造が理想であるが限定されない。そして、この耳カバー部は、顔面の側部を略隠蔽することを特徴とする。これによりできる限り耳部をカバーし、かつ防暑・日焼け等の防止効果を図ること、又はクラウン部100と、日除け部103との連繋の強化・防暑効率化・頭部全体の隠蔽化・作業の容易化と、この連繋の解れ防止等を意図する。この日除け部103は、遮光部材生地Aの縦糸を帽子1の幅方向に設け二重構造とし、日除け部103の下方向(足元方向)への下がりを確保し、形状の保護と、耐久性の向上等を意図する。この日除け部103は、クラウン部100に着脱自在に設けることを基本としており、図1〜図3の例は、釦103aとひも103bとの組合せによる構成を、また図4は、面ファスナー103cによる構成をそれぞれ示しており、何れの例も採用できる。また図示しないが、必要により、スナップ、引掛け部材等の例もあり得る。このように着脱自在の構成は、適宜の状況下で、取付け又は取外し使用できることから、次のような利点がある。即ち、天候、シーズン等の気候条件に対応できること、各人の好み、体の状況、使用場所・目的等に適宜対応できること等の利点、又は汎用性の向上等に役立つことが挙げられる。また分割しての収容・搬送等が図れること、その容易化、またコストの低廉化、目的の多様化等にも貢献できる利点がある。尚、日除け部103は、その流れ方向の略センターにおいて二枚の二重構造遮光部材6を縫合して、縫製の容易化、体裁の確保、折畳みの容易化と収容の利便性、又は遮光部材生地Aの特性の有効利用等が図れること、また肩部及び／又は背部を優しくカバーできること等の特徴がある。
【００３３】
また庇部101は、この庇部101は、表面101aを庇部用の遮光部材3で構成し、この遮光部材3の補強と、当該庇部101の芯101bを庇部芯用の布地4で構成したものであり、遮光部材3の特性を発揮しつつ、この遮光部材3の弱点(形状の確保の困難性)を補う庇部芯用の布地4で構成する。これによって、この両者の相乗効果と、防暑防止を最大限に発揮できる。そして、遮光部材3は、前述の遮光部材生地Aを一枚とした構成である。しかし、必要により、他の例(二重構造等)もあり得る。
【００３４】
尚、二重構造遮光部材2、6及び遮光部材3のフィラメント素材撚糸A2の縦糸を、図示の例とすることで、例えば、縫製の容易化、縦糸ライン及び／又は紐状の遮光フィルム素材の配列等による形態、柄等による美感・体裁の確保、折畳みの容易化と収容の利便性、又は遮光部材生地Aの特性の有効利用等が図れること、また肩部及び／又は背部を優しくカバーできること等の特徴がある。
【００３５】
尚、布地のテープ5は、クラウン部100と庇部101との縫着B1を隠蔽し、またこの縫着B1の補強と解れ回避とを意図する。
【００３６】
次に、図8から図12に示したキャップ形の帽子1について説明する。基本的には、前述のハット形の帽子1に準ずる。従って、このキャップ形の帽子1は、下記のような構成となっている。即ち、クラウン部100を構成するクラウン部用の二重構造遮光部材2と、庇部101を構成する庇部用の布地40と、クラウン部100の首側に一体的又は着脱自在に設けた日除け部103を構成する日除け用の二重構造遮光部材6と、布地40より延設した汗取り布地7とで構成される。尚、図示しないが芯部には、形状を保持できる硬質等の芯素材（芯101b等）を介在することを原則とするが、単に布地40の場合もあり得る。また前記二重構造遮光部材2、6は、前述の図5、図6(イ)、(ロ)又は図7で示す構成とする。さらに図示しないが、クラウン部用の二重構造遮光部材2と日除け部103との間に布地のテープを設ける例もあり、この効果は前述の例に準ずる。また図11の例は、日除け部103を短くして、釣り用、運動用等の首部(首)をあまり曲げない使用の例を考慮した構成であり、使用の目的への適合と、体裁の向上と、材料の節約・低コスト化、また被帽の容易化、首部への負担の軽減等を意図する。尚、また図12に一例を示した日除け部103の着脱構造及び／又は効果等は前述の例に準ずる。
【図面の簡単な説明】
【００３７】
【図１】本発明のハット形の帽子を示した斜視図
【図２】図1の例の一部欠截の平面図
【図３】図1の例の一部欠截の側面図
【図４】図1の例の他の一例を示した平面図
【図５】遮光部材生地の拡大正面図
【図６】遮光部材生地の拡大正面図であり、(イ)はかがり縫いの状態を、また(ロ)は(イ)の要部を拡大した状態を示す
【図７】遮光部材生地の縫着を示した拡大斜視図
【図８】本発明のキャップ形の帽子を示した斜視図
【図９】図8の例の一部欠截の平面図
【図１０】図8の例の斜視図
【図１１】図8の例の他の一例を示した斜視図
【図１２】図8の例の日除け部を取外した一例を示す斜視図
【符号の説明】
【００３８】
1            帽子
100          クラウン部
100a         クラウン頂面
100a-1       端部
100b         クラウン側面
100b-1       端部
101          庇部
101a         表面
101b         芯
102          境部
103          日除け部
103a         釦
103b         ひも
103c         面ファスナー
2            二重構造遮光部材
3            遮光部材
4            布地
40           布地
5            テープ
6            二重構造遮光部材
7            汗取り布地
A            遮光部材生地
A1           遮光フィルム素材
A2           フィラメント素材撚糸
A3           隙間
B            かがり縫い
B1           縫着
【図１】
0003721187.tif 000002
【図２】
0003721187.tif 000003
【図３】
0003721187.tif 000004
【図４】
0003721187.tif 000005
【図５】
0003721187.tif 000006
【図６】
0003721187.tif 000007
【図７】
0003721187.tif 000008
【図８】
0003721187.tif 000009
【図９】
0003721187.tif 000010
【図１０】
0003721187.tif 000011
【図１１】
0003721187.tif 000012
【図１２】
0003721187.tif 000013